(57)【要約】【課題】投射される画像の品質を長期期間にわたって良好に保持する上で有利なプロジェクタ装置を提供する。【解決手段】光合成プリズム１８は、第１、第２、第３の入射面１８０２、１８０４、１８０６と、第１、第２のダイクロイックミラー膜１８１０、１８１２と、出射面１８０８とを有している。位相差フィルム２０は第１、第３の入射面１８０２、１８０６の２つの入射面に貼り付けられており、Ｐ偏光をＳ偏光に変換する。第１、第２、第３の出射側偏光板２２Ｒ，２２Ｇ，２２Ｂは何れも耐熱性に優れた無機材料で形成されている。各出射側偏光板２２Ｒ，２２Ｇ，２２Ｂは、第１、第２、第３の光変調器１６Ｒ、１６Ｇ、１６Ｂから出射される光Ｒ，光Ｇ，光Ｂの偏光成分のうちＰ波を透過させ、それ以外の透過を阻止すべき偏光成分を吸収するものである。【選択図】図２
2010134083.tif 000002
【特許請求の範囲】
【請求項１】
光源と、
前記光源からの光を波長領域が異なる第１、第２、第３の光に分離する分離部と、
前記分離部から導かれる前記第１、第２、第３の光毎に設けられそれら光の偏光状態を画像情報に応じて調整して透過させる第１、第２、第３の光変調器と、
前記第１、第２、第３の光変調器から透過された第１、第２、第３の光が入射される第１、第２、第３の入射面と、前記第１、第２、第３の入射面に入射された第１、第２、第３の光を前記波長領域毎に反射または透過することにより合成する第１、第２のダイクロイックミラー膜と、前記合成された光を出射する出射面とを有する光合成プリズムと、
有機材料で形成され、前記第１、第２、第３の入射面のうちの少なくとも１つの入射面に貼り付けられ直線偏光の偏光方向を変換する位相差フィルムと、
無機材料で形成され、前記第１の光変調器と前記第１の入射面との間にそれぞれ空間を確保した状態で配置された第１の無機偏光板と、
無機材料で形成され、前記第２の光変調器と前記第２の入射面との間にそれぞれ空間を確保した状態で配置された第２の無機偏光板と、
無機材料で形成され、前記第３の光変調器と前記第３の入射面との間にそれぞれ空間を確保した状態で配置された第３の無機偏光板と、
前記光合成プリズムの前記出射面から出射された光をスクリーンに投射させる投射光学系と、
を備えるプロジェクタ装置。
【請求項２】
前記第１の光は赤色の光であり、前記第２の光は緑色の光であり、前記第３の光は青色の光である、
請求項１記載のプロジェクタ装置。
【請求項３】
前記位相差フィルムは前記第１、第３の入射面に貼り付けられている、
請求項２記載のプロジェクタ装置。
【請求項４】
前記第１、第２、第３の光変調器は透過型液晶パネルで構成されている、
請求項１記載のプロジェクタ装置。
【発明の詳細な説明】
【技術分野】
【０００１】
本発明はプロジェクタ装置に関する。
【背景技術】
【０００２】
従来から、光源からの光を赤色、緑色、青色の光に分離する分離部と、分離部から導かれた赤色、緑色、青色の光毎に設けられそれら光を画像情報によって変調して透過させる第１、第２、第３の透過型液晶表示器と、各透過型液晶表示器の光入射側に配置された入射側偏光板と、各透過型液晶表示器の光出射側に配置された出射側偏光板と、各出射側偏光板から透過される光を合成して出射する光合成部とを備えるプロジェクタ装置が提供されている（特許文献１参照）。
前記光合成部としては、第１、第２、第３の光を前記波長領域毎に反射または透過することにより合成する第１、第２のダイクロイックミラー膜と、前記合成された光を出射する出射面とを有する光合成プリズムが用いられることが多い。
この場合、第１、第２のダイクロイックミラー膜の特性に対応して、３つの出射側偏光板のうちの少なくとも１つと、光合成プリズムとの間に、直線偏光の偏光方向を変換する位相板が設けられている。
【特許文献１】特開２００６−１１２９８
【発明の開示】
【発明が解決しようとする課題】
【０００３】
ところで、近年、光源の高出力化に伴い、出射側偏光板の温度がより高温となる傾向にあることから、出射側偏光板として有機材料に比較して耐熱性に優れた無機材料で形成されたものを採用することが考えられる。
このような耐熱性に優れた出射側偏光板を用いることでプロジェクタ装置から投射される画像の品質を長期期間にわたって良好に保持することが期待できる。
しかしながら、位相板は有機材料で形成されていることから耐熱性の向上を図る上で不利があり、耐熱性に優れた無機材料で形成された出射側偏光板を採用することによるメリットを十分に生かせない不利がある。
本発明はこのような事情に鑑みなされたものであり、その目的は光源が高出力化された場合であっても、投射される画像の品質を長期期間にわたって良好に保持する上で有利なプロジェクタ装置を提供することにある。
【課題を解決するための手段】
【０００４】
上述の目的を達成するため、本発明のプロジェクタ装置は、光源と、前記光源からの光を波長領域が異なる第１、第２、第３の光に分離する分離部と、前記分離部から導かれる前記第１、第２、第３の光毎に設けられそれら光の偏光状態を画像情報に応じて調整して透過させる第１、第２、第３の光変調器と、前記第１、第２、第３の光変調器から透過された第１、第２、第３の光が入射される第１、第２、第３の入射面と、前記第１、第２、第３の入射面に入射された第１、第２、第３の光を前記波長領域毎に反射または透過することにより合成する第１、第２のダイクロイックミラー膜と、前記合成された光を出射する出射面とを有する光合成プリズムと、有機材料で形成され、前記第１、第２、第３の入射面のうちの少なくとも１つの入射面に貼り付けられ直線偏光の偏光方向を変換する位相差フィルムと、無機材料で形成され、前記第１の光変調器と前記第１の入射面との間にそれぞれ空間を確保した状態で配置された第１の無機偏光板と、無機材料で形成され、前記第２の光変調器と前記第２の入射面との間にそれぞれ空間を確保した状態で配置された第２の無機偏光板と、無機材料で形成され、前記第３の光変調器と前記第３の入射面との間にそれぞれ空間を確保した状態で配置された第３の無機偏光板と、前記光合成プリズムの前記出射面から出射された光をスクリーンに投射させる投射光学系とを備える。
【発明の効果】
【０００５】
本発明によれば、耐熱性に優れた第１、第２、第３の無機偏光板を用いると共に、耐熱性に劣る位相差フィルムを温度上昇が顕著でない光合成プリズムの入射面に貼り付けたので、光源が高出力化された場合であっても、画像の品質を長期間にわたって維持することができ、長寿命化を図る上で有利となる。
【発明を実施するための最良の形態】
【０００６】
次に、本発明の実施の形態について図面を参照して説明する。
図１は本実施の形態のプロジェクタ装置１０の構成を示す説明図、図２は本実施の形態のプロジェクタ装置１０の要部の構成を示す説明図である。
プロジェクタ装置１０は、図１に示すように、光源部１２と、分離部１４と、第１、第２、第３の入射側偏光板１５Ｒ，１５Ｇ，１５Ｂと、第１、第２、第３の光変調器１６Ｒ、１６Ｇ、１６Ｂと、光合成プリズム１８と、位相差フィルム２０と、第１、第２、第３の出射側偏光板２２Ｒ，２２Ｇ，２２Ｂと、投射光学系２３などを含んで構成されている。
これら光源部１２、分離部１４、第１、第２、第３の入射側偏光板１５Ｒ，１５Ｇ，１５Ｂと、第１、第２、第３の光変調器１６Ｒ、１６Ｇ、１６Ｂ、光合成プリズム１８、第１、第２、第３の出射側偏光板２２Ｒ，２２Ｇ，２２Ｂ、投射光学系２３は、図示しないフレームに従来公知の取り付け部材を介して取り付けられている。
【０００７】
（光源部１２）
光源部１２は、光源２４、ＵＶカットフィルター２６、フライアイレンズ２８、ＰＳ変換素子３０、コンデンサレンズ４５などを含んで構成されている。
光源２４は、白色光を出射するものであり、光源２４としては、白色光を出射するウルトラハイプレッシャーランプなど、従来公知のさまざまなランプが採用可能である。
ＵＶカットフィルター２６は、光源２４の前方に設けられた光源２４から出射される紫外線の通過を阻止するものである。
フライアイレンズ２８は、ＵＶカットフィルター２６の前方に設けられ、ＵＶカットフィルター２６を透過した光の照度分布を均一化することで、第１、第２、第３の光変調器１６Ｒ、１６Ｇ、１６Ｂの有効面積内を均一に照明させるものである。
本実施の形態では、複数のフライアイレンズ２８が設けられている。
ＰＳ変換素子３０は、フライアイレンズ２８によって導かれた光の偏光方向を所定方向に揃えるものであり、具体的には、光の偏光成分のうちＳ波（Ｓ偏光の直線偏光）はそのまま透過させ、Ｓ波以外の偏光成分をＳ波に変換させて透過させるものである。
コンデンサレンズ４５はＰＳ変換素子３０から出射される光を収束させるものである。
【０００８】
（分離部１４）
分離部１４は、光源部１２からの光を波長領域が異なるＲ（赤色）の光、Ｇ（緑色）の光、Ｂ（青色）の光に分離するものであり、言い換えると、光源部１２からの光を波長領域が異なる第１、第２、第３の光に分離するものである。
分離部１４は、第１、第２のダイクロイックミラー３２、３４、第１、第２、第３の反射ミラー３６、３８、４０を含んでいる。
第１のダイクロイックミラー３２は、光源部１２から導かれた光のうち青色の波長領域の光を反射すると共に、緑色および赤色の波長領域の光を透過するものである。
第２のダイクロイックミラー３４は、第１のダイクロイックミラー３２を透過した光のうち緑色の波長領域の光を反射して第２の光変調器１６Ｇに導くと共に、赤色の波長領域の光を透過するものである。
【０００９】
第１の反射ミラー３６は、第１のダイクロイックミラー３２で分離された青色の波長領域の光Ｂを反射して第３の光変調器１６Ｂに導くものである。
第２の反射ミラー３８は、第２のダイクロイックミラー３４で分離された赤色の波長領域の光Ｒを反射して第３の反射ミラー４０に導くものである。
第３の反射ミラー４０は、第２反射ミラー３８によって導かれた赤色の波長領域の光Ｒを第１の光変調器１６Ｒに導くものである。
なお、図中、符号４２、４４は光Ｒについての光路長の補正を行うリレーレンズ、符号４６、４８、５０は光Ｒ，光Ｇ，光Ｂをそれぞれ収束するコンデンサレンズを示す。
なお、分離部１４は光源部１２からの光を赤色、緑色、青色の光に分離できればよいのであり、上述の構成に限定されるものではなく、従来公知のさまざまな構成が採用可能である。
【００１０】
（第１、第２、第３の入射側偏光板１５Ｒ，１５Ｇ，１５Ｂ）
第１、第２、第３の入射側偏光板１５Ｒ，１５Ｇ，１５Ｂは、分離部１４から出射される光Ｒ，光Ｇ，光Ｂの偏光成分をＳ波に揃えるものである。
なお、ＰＳ変換素子３０により光Ｒ，光Ｇ，光Ｂの偏光成分はＳ波に揃えられているが、分離部１４を構成するミラーやレンズを通過することで光Ｒ，光Ｇ，光Ｂの偏光成分には乱れが生じＳ波でないものを含んでいる。
したがって、第１、第２、第３の入射側偏光板１５Ｒ，１５Ｇ，１５Ｂを用いることで光Ｒ，光Ｇ，光Ｂの偏光成分の乱れを除去しＳ波に揃えている。
なお、ＰＳ変換素子３０を用いていることから、第１、第２、第３の入射側偏光板１５Ｒ，１５Ｇ，１５Ｂに導かれる光は多少の偏光成分に乱れがあるものの、概ねＳ波に揃えられている。
そのため、第１、第２、第３の入射側偏光板１５Ｒ，１５Ｇ，１５Ｂでの光の吸収および反射は大きくなく、光源２４の光量が大きなものであっても、発熱する度合いはそれほど高いものではない。
したがって、第１、第２、第３の入射側偏光板１５Ｒ，１５Ｇ，１５Ｂの材料は耐熱性が高くないものであってもよく、入射側偏光板は有機材料で形成された偏光板フィルムを用いたものであってもかまわない。
【００１１】
（第１、第２、第３の光変調器１６Ｒ、１６Ｇ、１６Ｂ）
第１、第２、第３の光変調器１６Ｒ、１６Ｇ、１６Ｂは、分離部１４から導かれる光Ｒ，光Ｇ，光Ｂ毎に設けられている。
第１、第２、第３の光変調器１６Ｒ、１６Ｇ、１６Ｂは、第１、第２、第３の入射側偏光板１５Ｒ，１５Ｇ，１５Ｂを介して導かれる光の偏光状態を画像情報に応じて調整して透過させ、これにより、画像情報に応じて光を変調するものである。
詳細に説明すると、第１、第２、第３の光変調器１６Ｒ、１６Ｇ、１６Ｂは、赤色、緑色、青色の３色の画像情報をそれぞれ表示するものである。
第１、第２、第３の光変調器１６Ｒ、１６Ｇ、１６Ｂは、入射光に対応した色の映像信号が印加され、映像信号に従い、入射光の偏光方向を調整して透過させるものである。
言い換えると、第１、第２、第３の光変調器１６Ｒ、１６Ｇ、１６Ｂは、入射光をＳ偏光からＰ偏光に変換して変調出力するものである。
なお、第１、第２、第３の光変調器１６Ｒ、１６Ｇ、１６Ｂは入力される映像信号が白である場合（最も明るい場合）、入射光の偏光方向をＳ偏光からＰ偏光に変換して透過させる。
本実施の形態では、第１、第２、第３の光変調器１６Ｒ、１６Ｇ、１６Ｂは、透過型液晶パネルで構成されている。
【００１２】
（光合成プリズム１８）
光合成プリズム１８は、図２に示すように、第１、第２、第３の入射面１８０２、１８０４、１８０６と、第１、第２のダイクロイックミラー膜１８１０、１８１２と、出射面１８０８とを有している。
第１、第３の入射面１８０２、１８０６は平行し、第２の入射面１８０４と出射面１８０８とは第１、第３の入射面１８０２、１８０６と直交しかつ互いに平行している。
第１、第２のダイクロイックミラー膜１８１０、１８１２は、互いに直交し、かつ、第１、第２、第３の入射面１８０２、１８０４、１８０６、出射面１８０８と４５度をなして交差している。
第１の入射面１８０２は、第１の光変調器１６Ｒから透過された光Ｒが入射される。
第２の入射面１８０４は、第２の光変調器１６Ｇから透過された光Ｇが入射される。
第３の入射面１８０６は、第３の光変調器１６Ｂから透過された光Ｂが入射される。
第１、第２のダイクロイックミラー膜１８１０、１８１２は、光Ｒ、光Ｇ、光Ｂをそれらの光の波長領域毎に反射または透過することにより合成するものである。
具体的には、第１のダイクロイックミラー膜１８１０は、Ｐ波は波長にかかわらず透過し、Ｓ波のうち赤色の波長領域の光のみ反射し、Ｓ波のうち赤色の波長領域を除く光は透過する。
第２のダイクロイックミラー膜１８１２は、Ｐ波は波長にかかわらず透過し、Ｓ波のうち青色の波長領域の光のみ反射し、Ｓ波のうち青色の波長領域を除く光は透過する。
出射面１８０８は、第１、第２のダイクロイックミラー膜１８１０、１８１２によって合成された光を出射する。
【００１３】
（位相差フィルム２０）
位相差フィルム２０は有機材料で形成され、第１、第２、第３の入射面１８０２、１８０４、１８０６のうちの少なくとも１つの入射面に貼り付けられ直線偏光の偏光方向を変換するものである。
なお、位相差フィルム２０の入射面への貼り付けは、例えば、位相差フィルム２０の裏面に形成された接着層を用いることでなされる。
このような位相差フィルム２０の構成としては、例えば、ＴＡＣ（トリアセチルセルロース）とＰＶＡ（ポリビニルアルコール）とを積層し、表面にプロテクトフィルムとしてのＰＥＴ（ポリエチレンテレフタレート）を形成したものなど、従来公知のさまざまな構成のものが採用可能である。
本実施の形態では、位相差フィルム２０は第１、第３の入射面１８０２、１８０６の２つの入射面に貼り付けられており、Ｐ偏光をＳ偏光に変換する。
光合成プリズム１８の各入射面１８０２、１８０４、１８０６は、偏光板と異なり、光の吸収あるいは反射による発熱を生じることがないため、次に述べる第１、第２、第３の出射側偏光板２２Ｒ，２２Ｇ，２２Ｂのように顕著に温度が上昇することはない。
【００１４】
（第１、第２、第３の出射側偏光板２２Ｒ，２２Ｇ，２２Ｂ）
第１、第２、第３の出射側偏光板２２Ｒ，２２Ｇ，２２Ｂは、本発明の第１、第２、第３の無機偏光板を構成するものである。
第１、第２、第３の出射側偏光板２２Ｒ，２２Ｇ，２２Ｂは何れも耐熱性に優れた無機材料で形成されている。
各出射側偏光板２２Ｒ，２２Ｇ，２２Ｂとしては、無機微粒子の光学異方性による偏光吸収作用を利用した無機吸収型偏光板などの従来公知のさまざまな無機偏光板が採用可能である。
なお、無機吸収型偏光板としては、使用波長帯域に対して透明である基板（ガラス基板）にスパッタリング、真空蒸着等の真空成膜法により、大きさが使用波長帯域よりも短く、かつ、形状異方性を有する無機微粒子（半導体、金属）を形成したものが挙げられる。
この無機吸収型偏光板は、無機微粒子が使用波長帯域よりも短い間隔で整列しており、当該無機微粒子の光学異方性による偏光吸収作用を利用することで偏光板として機能する。
【００１５】
各出射側偏光板２２Ｒ，２２Ｇ，２２Ｂは、第１、第２、第３の光変調器１６Ｒ、１６Ｇ、１６Ｂから出射される光Ｒ，光Ｇ，光Ｂの偏光成分のうちＰ波を透過させ、それ以外の透過を阻止すべき偏光成分を吸収するものである。
第１の出射側偏光板２２Ｒは、第１の光変調器１６Ｒと第１の入射面１８０２との間にそれぞれ空間Ｓ１，Ｓ２を確保した状態で配置され、本実施の形態では、位相差フィルム２０との間に空間Ｓ２を介して対面している。
第２の出射側偏光板２２Ｇは、第２の光変調器１６Ｇと第２の入射面１８０４との間にそれぞれ空間Ｓ１，Ｓ２を確保した状態で配置されている。
第３の出射側偏光板２２Ｂは、第３の光変調器１６Ｂと第３の入射面１８０６との間にそれぞれ空間Ｓ１，Ｓ２を確保した状態で配置され、本実施の形態では、位相差フィルム２０との間に空間Ｓ２を介して対面している。
【００１６】
第１、第２、第３の出射側偏光板２２Ｒ、２２Ｇ、２２Ｂは、第１、第２、第３の光変調器１６Ｒ，１６Ｇ，１６Ｂから出射された光のうちＰ波以外の偏光成分の光を吸収することで発熱する。
そこで、第１、第２、第３の出射側偏光板２２Ｒ、２２Ｇ、２２Ｂを放熱させるために、空間Ｓ１，Ｓ２に空気を流通させるファンなどの送風手段（不図示）を設けている。
【００１７】
（投射光学系２３）
投射光学系２３は、光合成プリズム１８の出射面１８０８から導かれた光をスクリーンＳに照射することにより、スクリーンＳに画像を形成するものである。
【００１８】
次に動作について説明する。
光源部１２から出射された光は、分離部１４によって光Ｒ，光Ｇ，光Ｂに分離される。
光Ｒは、第１の入射側偏光板１５Ｒを介して第１の光変調器１６Ｒに導かれ変調されたのち、第１の出射側偏光板２２Ｒを介して位相差フィルム２０に至る。
そして、光Ｒは、位相差フィルム２０で直線偏光の偏光方向がＰ偏光からＳ偏光に変換されたのち、第１の入射面１８０２から第１、第２ダイクロイックミラー膜１８１０、１８１２に導かれる。
したがって、Ｓ波としての光Ｒは、第１のダイクロイックミラー膜１８１０により反射され、また、第２のダイクロイックミラー膜１８１２を透過することで出射面１８０８から投射光学系２３に導かれる。
【００１９】
光Ｇは、第２の入射側偏光板１５Ｇを介して第２の光変調器１６Ｇに導かれ変調されたのち、第２の出射側偏光板２２Ｇを介して偏光方向がＰ波に揃えられた状態で第２の入射面１８０４から第１、第２ダイクロイックミラー膜１８１０、１８１２に導かれる。
したがって、Ｐ波としての光Ｇは、第１、第２ダイクロイックミラー膜１８１０、１８１２の双方を透過することで出射面１８０８から投射光学系２３に導かれる。
【００２０】
光Ｂは、第３の入射側偏光板１５Ｂを介して第３の光変調器１６Ｂに導かれ変調されたのち、第３の出射側偏光板２２Ｂを介して位相差フィルム２０に至る。
そして、光Ｂは、位相差フィルム２０で直線偏光の偏光方向がＰ偏光からＳ偏光に変換されたのち、第３の入射面１８０６から第１、第２ダイクロイックミラー膜１８１０、１８１２に導かれる。
したがって、Ｓ波としての光Ｂは、第２のダイクロイックミラー膜１８１２により反射され、また、第１のダイクロイックミラー膜１８１０を透過することで出射面１８０８から投射光学系２３に導かれる。
【００２１】
本実施の形態によれば、第１、第２、第３の出射側偏光板２２Ｒ、２２Ｇ、２２Ｂを耐熱性に優れた無機材料で形成すると共に、高い耐熱性を有さない位相差フィルム２０を光合成プリズム１８の第１、第３の入射面１８０２、１８０６に貼り付ける構成とした。
そのため、発熱による第１、第２、第３の出射側偏光板２２Ｒ、２２Ｇ、２２Ｂの劣化を防止できることは無論のこと、光合成プリズム１８は、出射側偏光板２２Ｒ、２２Ｇ、２２Ｂに比べて温度上昇が顕著でないことから、位相差フィルム２０の劣化防止を図る上で有利となる。
すなわち、第１、第２、第３の出射側偏光板２２Ｒ、２２Ｇ、２２Ｂの放熱に際しては、各出射側偏光板が十分な耐熱性を有しているため、各出射側偏光板の温度を１８０度程度に維持すれば劣化防止を図る上で十分である。
また、位相差フィルム２０の放熱に際しては、例えば位相差フィルム２０の温度を８０度程度に維持すれば位相差フィルム２０の劣化の防止を図る上で十分である。
したがって、光源２４が高出力化された場合であっても、プロジェクタ装置１０によってスクリーンＳに投影される画像の品質を長期間にわたって維持することができ、プロジェクタ装置１０の長寿命化を図る上で有利となる。
【００２２】
次に、比較例と比較して作用効果についてさらに説明する。
図３は比較例におけるプロジェクタ装置の要部の説明図であり、実施の形態と同一または対応する部分、部材には同一の符号を付して説明する。
比較例では、第１、第２、第３の出射側偏光板６０Ｒ，６０Ｇ，６０Ｂのそれぞれを変調器側偏光板６２と、プリズム側偏光板６４との２枚に分離している。
したがって、変調器側偏光板６２およびプリズム側偏光板６４は、合計３枚ずつ設けられている。
【００２３】
３枚の変調器側偏光板６２は、透明なガラス基板６６と、該ガラス基板６６が各変調器１６Ｒ，１６Ｇ，１６Ｂに臨む面に貼り付けられた偏光板フィルム６８とで構成されている。
３枚のプリズム側偏光板６４のうち第１、第３の光変調器１６Ｒ，１６Ｂに対応するプリズム側偏光板６４は、透明なガラス基板６６と、該ガラス基板６６が各変調器側偏光板６２に臨む面に貼り付けられた位相差フィルム２０と、該位相差フィルム２０が変調器側偏光板６２に臨む面に貼り付けられた偏光板フィルム６８とで構成されている。
３枚のプリズム側偏光板６４のうち第２の光変調器１６Ｇに対応するプリズム側偏光板６４は、透明なガラス基板６６と、該ガラス基板６６が各変調器側偏光板６２に臨む面に貼り付けられた偏光板フィルム６８とで構成されている。
すなわち、各出射側偏光板６０Ｒ，６０Ｇ，６０Ｂを高い耐熱性を有さない有機材料で形成された偏光板フィルム６８を用いて構成している。
そのため、各出射側偏光板をそれぞれ変調器側偏光板６２と、プリズム側偏光板６４との２枚に分離することで、光を吸収することで生じる発熱量を分散させ、各偏光板フィルム６８の温度上昇を抑制している。
【００２４】
このような比較例では、各出射側偏光板６０Ｒ，６０Ｇ，６０Ｂを２枚の偏光板６２、６４とで構成しているため、合計６枚の偏光板が必要となり、しかも、各偏光板６２、６４を冷却するための空気を流通されるためにより大きな空間を確保しなくてはならない。
したがって、光合成プリズム１８、各出射側偏光板６０Ｒ，６０Ｇ，６０Ｂ、各変調器１６Ｒ，１６Ｇ，１６Ｂの占有スペースを縮小する上で不利があり、ひいては、プロジェクタ装置の小型化を図る上で不利がある。また、部品点数が多いため、コストダウンを図る上で不利がある。
これに対して、本実施の形態のプロジェクタ装置１０によれば、出射側偏光板は比較例の半分の３枚で済むため、占有スペースを縮小する上で有利となり、プロジェクタ装置の小型化１０を図る上で有利となることは無論のこと、部品点数を削減できるためコストダウンを図る上で有利となる。
【図面の簡単な説明】
【００２５】
【図１】本実施の形態のプロジェクタ装置１０の構成を示す説明図である。
【図２】本実施の形態のプロジェクタ装置１０の要部の構成を示す説明図である。
【図３】比較例におけるプロジェクタ装置の要部の説明図である。
【符号の説明】
【００２６】
１０……プロジェクタ装置、１２……光源部、１４……分離部、１６Ｒ……第１の光変調器、１６Ｇ……第２の光変調器、１６Ｂ……第３の光変調器、１８……光合成プリズム、１８０２……第１の入射面、１８０４……第２の入射面、１８０６……第３の入射面、１８０８……出射面、１８１０……第１のダイクロイックミラー膜、１８１２……第２のダイクロイックミラー膜、２０……位相差フィルム、２２Ｒ……第１の出射側偏光板２２Ｇ……第２の出射側偏光板、２２Ｂ……第３の出射側偏光板、２３……投射光学系。
【図１】
2010134083.tif 000003
【図２】
2010134083.tif 000004
【図３】
2010134083.tif 000005